(57)【特許請求の範囲】
【請求項１】
バンド体とこのバンド体の基端部に取り付けられるロックヘッドからなり、このロックヘッドはその底板から前方に延長されたカバー部材を持ち、このカバー部材は下蓋体とこの下蓋体の一側に屈曲部を介して形成された上蓋部とからなるように構成してなる結束バンド。
【請求項２】
バンド体とこのバンド体の基端部に取り付けられるロックヘッドからなり、このロックヘッドはその底板から前方に延長されたカバー部材を持ち、このカバー部材は下蓋体とこの下蓋体の両側に一対の屈曲部を介して形成された一対の上蓋部とからなるように構成してなる結束バンド。
【発明の詳細な説明】
【０００１】
【発明の属する技術分野】
本願発明は、結束バンドに関し、詳しくはバンド体とこのバンド体の基端部に取り付けられるロックヘッドからなる金属製の結束バンドに関する。
【０００２】
【従来の技術】
図５（Ａ）に示すように、ダクトやホース等の管状物４に、継ぎ手やその他の管状物４´を接続し、固定するために、接続状態の管状物４，４´のジョイント部の周囲にステンレス鋼等の金属製の結束バンド１を巻き付け、締結し接続状態を保持することが行われている。
【０００３】
また、図５（Ｂ）に示すように、結束バンド１で複数の電線ないし通信ケーブル５や金属丸棒等の束を一まとめに結束したり、ケーブル等５を電柱等に取り付けることが行われている。
この結束バンド１は、図６に示すように、薄板状に伸長するバンド体２と、このバンド体２の基端部に取り付けられバンド体２を締結するロックヘッド３とからなり、バンド体２をその先端部２Ａからロックヘッド３内に挿通するとバンド体２がロックヘッド３内に引き抜き不能に嵌合し締結するものである。
【０００４】
この引き抜き不能に嵌合する仕組みは、次の通りである。すなわち、図７は結束バンド１の要部（バンド体２の基端部とそれ固定されたロックヘッド３）の断５図であるが、これに示すように、ロックヘッド３内には後部の開口部３Ａから前部の開口部３Ｂにかけてバンド体２を挿通し、バンド体２の基端部２Ｂ側に形成された折曲部２Ｃでロックヘッド３の底板３Ａを挟持して、バンド体２の基端部２Ｂがロックヘッド３に一体に固定された状態になっている。ロックヘッド３の天井部３Ｃはその高さが後部方向に次第に減少するように傾斜して形成され、ロックヘッド３の内部に球体３Ｄを転動可能に収容し、かつこの球体３Ｄをロックヘッド３内に留めるように、天井部３Ｃの前部の縁から舌片部３Ｅが垂下している。
【０００５】
そして、上記の状態のロックヘッド３の後部の開口部３Ａからバンド体２の先端部２Ａを矢印Ｆ方向に挿通すると、挿通したバンド体２が球体３Ｄを天井部３Ｃ方向（及び前部の方向）に押し上げるようになっている。
そこで、上記のように構成された結束バンド１を使用して管状物等を結束する場合は、バンド体２で管状物等を巻回してから、バンド体２の先端部２Ａをロックヘッド３内に挿通して、限度一杯前部の開口部３Ｂから引出し管状物等を結束する。このように結束バンド１で管状物等を結束すると、挿通したバンド体２に矢印Ｆと逆方向の張力が作用し、球体３Ｄが天井部３Ｃの低い方に転動して天井部３Ｃとバンド体２の間に挟まり、バンド体２が球体３Ｄを介してロックヘッド３内でロックされ、その結果バンド体２はロックヘッド３から引き抜き不能になる。
【０００６】
【発明が解決しようとする課題】
さて、図６に示すように、バンド体２の先端部２Ａは手等を傷つけないように半円形に形成されているが、接続状態の管状物３，３´等の周囲に巻き付け締めつけたバンド体２はその長さによっては、図５（Ａ）に示すように、その先端部２Ａがロックヘッド３から長く突き出て邪魔になる。そこで、先端部２Ａをロックヘッド３の近傍でバンド体２に直交する切断線２ｈから切断して切り詰めるために、切断部２Ｄが形成される（図６）。この切断部２Ｄの角部は鋭く危険であり、管状物等の保守点検や清掃の際、または脇を通過する際、作業者や通過者に傷を負わせるたり、衣服に損傷を与えるおそれがある。
【０００７】
このような事故の防止策として、バンド体２の切断部２Ｄをペンチ等の工具で巻き込んだり、内側にＵ字状に曲げる方法があるが、その作業が面倒である上に、体裁が良くない。また、テープを巻き付ける方法もあるが、これは脱落し易く長持ちしない。
そこで、保護キャップの使用が提案されている。この保護キャップ６は、図８（Ａ）に示すように、偏平な袋状に、合成樹脂、特に塩化ビニル系樹脂を使用して成形してなるものであり、図８（Ｂ）に示すように、結束バンド１のバンド体２の切断部２Ｄに挿入して、カバーするものである。この保護キャップ６は、バンド体２の切断部２Ｄに挿入すると、保護キャップ６とバンド体２の間に摩擦力が生じて、簡単には引き抜けなくなるので、自然的に脱落するようなことは起こらず、事故対策としては有効である。
【０００８】
しかしながら、例えば電線や通信ケーブル等の結束作業は電柱等の高所における危険度の高い作業であり、そうした作業現場で保護キャップ６のような細かい部品を別途に用意・携帯し、かつそれを取り扱うことは作業者の大きな負担となるという欠点がある。
そこで、保護キャップ６のような特別の付加的な部品を必要とせず、かつ汎用工具で簡単に取り扱うことができる事故対策を施した結束バンドが求められている。
【０００９】
【課題を解決するための手段】
上記課題を達成するための本発明の結束バンドは、バンド体とこのバンド体の基端部に取り付けられるロックヘッドからなり、このロックヘッドはその底板から前方に延長されたカバー部材を持ち、このカバー部材は下蓋体とこの下蓋体の一側に屈曲部を介して形成された上蓋部とからなるように構成されている。
【００１０】
更には、このカバー部材は下蓋体とこの下蓋体の両側に一対の屈曲部を介して形成された一対の上蓋部とからなるように構成することもある。
【００１１】
【発明の実施の形態】
本発明の結束バンドの実施の形態を図面に従って説明する。なお、本発明の説明の中で、従来例で説明した部材を示す符号を同一部材の場合はそのまま使用する。
本発明の結束バンドに使用されるロックヘッド３はステンレス鋼等の金属で製造され、図１ないし図２（Ａ），（Ｂ）に示すように、天井部３Ｃと上板３Ｅと底板３Ａを持ち、天井部３Ｃと底板３Ａの間に図示しない球体を収容している。上板３Ｅと底板３Ａの間には前部側の開口部３Ｂと、後部側に図示しない開口部を形成している。ここまでは、従来例の結束バンドのロックヘッド３と全く同様であるが、本発明のロックヘッド３は底板３Ａから前部方向に板状体を延長して形成されたカバー部材７を有しているのが特徴である。
【００１２】
すなわち、カバー部材７はロックヘッド３の底板３Ａの前部から連結部８Ｃを介して延長して形成され、下蓋部８と、上蓋部９と、この両蓋部８，９の間を連結する屈曲部１０とからなる。下蓋部８と上蓋部９はそれぞれ一側に側板８Ａ，９Ａを持ち、下蓋部８の側板８Ａの外側には突起部８Ｂを形成し、上蓋部９の側板９の内側には凹部９Ｂを形成して、後述するように両者を係合して下蓋部８に上蓋部９を閉止するようにしている。そのため、両蓋部８，９の間にある屈曲部１０にはエンボス加工等で２条の断面Ｖ状の溝を形成して、溝に沿って可撓性が付与されている。
【００１３】
次に、本発明の結束バンド１の使用方法を図３（Ａ），（Ｂ）によって説明する。
結束バンド１のバンド体２（ロックヘッド３と同じくステンレス鋼製）の基端部２Ｂはロックヘッド３内に挿入され、従来例で説明したと同様に基端部２Ｂに形成された折曲部で底板３Ａの後部側を挟持して一体に固定された状態になっている（図示せず）。
【００１４】
そして、図示しないケーブル等の結束対象物の束をバンド体２で締めつけた状態で、図３（Ａ）に示すように、バンド体２の先端部２Ａを、上記ロックヘッド３の後部の開口部から前部の開口部３Ｂにかけて挿通し、かつ限度一杯、前部の開口部３Ｂから引き出し、結束対象物の束を結束する。
次に、ロックヘッド３の前部の開口部３Ｂから突き出たバンド体２の先端部２Ａを開口部３Ｂの近傍（下蓋部８の上部）における直線２ｉで示した適宜な箇所で切断する。そして、上蓋部９を矢印Ｇの方向に折り畳むと屈曲部１０が２条の溝で２段階的に折り曲って、図３（Ｂ）に示すように、上蓋部９が切断されたバンド体２の切断部２Ｄを上方からカバーし、更に上蓋部９を押圧して、下蓋部８の側板８Ａの突起部８Ｂを上蓋部９の側板９の凹部９Ｂに嵌合させて、下蓋部８と上蓋部９を係止、閉止する。
【００１５】
このようにしてバンド体２の鋭い角を持つ切断部２Ｄは係止された下蓋部８と上蓋部９の間に包み込まれ、切断部２Ｄによる事故を防止することができるのである。
なお上記とは逆に、下蓋部８の側板８Ａ側に凹部を、上蓋部９の側板９Ａ側に突起部を、それぞれ設けるようにしてもよい。
【００１６】
また、下蓋部８と上蓋部９の屈曲部１０に連なる角の部分に切り欠きＣを形成し、切り欠きＣの奥に屈曲部１０の端部（小端口）が引っ込んで構成されるようにして、屈曲部１０を折り曲げた際に圧迫された屈曲部１０の端部の組織が盛り上がって鋭いエッジを突出させず、作業者の手等が傷付くことがないように配慮している。
【００１７】
また、ロックヘッド３の前部側の開口部３近傍（連結部８Ｃの手前）の底板３Ａに、コ字型に切り込みを入れて切込部３Ｆを形成し、この切込部３Ｆの開放端部を底板３Ａから上方に所定角度で引き起して、この切込部３Ｆの開放端部がロックヘッド３に挿通されたバンド体２の基端部２Ｂを下から突き上げ、その基端部２Ｂがその上に挿通されたバンド体２を押し上げ、バンド体２の先端部２Ａが下蓋部８から浮き上がって（図３（Ａ）に示すように）、バンド体２の先端部２Ａを直線２ｉから切断する工具をバンド体２の下に差し込むことが容易になるように構成している。
【００１８】
次に、図４（Ａ），（Ｂ）は、上記カバー部７の変形例７′を用いたロックヘッド３′を示している。
ここで示されたカバー部７′は、ロックヘッド３′の底板３Ａ′から連結部８Ｃ′を介して延設して形成され、中央に下蓋部８′を形成し、その左右両側に一対の屈曲部１０′を介して一対の上蓋部９′を形成している。
【００１９】
屈曲部１０′は、下蓋部８′と両上蓋部９′の間に形成された長穴１０Ａの両側に、下蓋部８′と両上蓋部９′を繋ぐ幅の狭い橋状に形成されて可撓性を持っており、両上蓋部９′を矢印Ｈの方向に折り畳もうとすると屈曲部１０′で折れ曲がり、両上蓋部９′で下蓋部８′上に位置したバンド体の切断部をカバー可能に構成している。
【００２０】
なお、下蓋部８′と上蓋部９′の一側の縁部は所定角度で上方に折り曲げられて、両上蓋部９′を矢印Ｈの方向に折り畳もうとする際、工具を容易に縁部の下に差し入れられるように構成している。
また、３Ｆ′はロックヘッド３′の底板に形成された切込部であり、Ｃ′は下蓋部８′と両上蓋部９′の屈曲部１０′に連なる角の部分に形成された切り欠きである。
【００２１】
上記したようなロックヘッド３又は３′を持つ本発明の結束バンド１は、電柱上の工事等において、ケーブル等の結束、取付けで容易かつ迅速に使用でき、安全対策のため特別の付加的部材を必要とせず、汎用工具で簡単に扱うことができるという効果がある。
【００２２】
【発明の効果】
本発明の結束バンドは、バンド体とこのバンド体の基端部に取り付けられるロックヘッドからなり、このロックヘッドはその底板から前方に延長されたカバー部材を持ち、このカバー部材は下蓋体とこの下蓋体の一側に屈曲部を介して形成された上蓋部とからなるように構成され、またはこのカバー部材は下蓋体とこの下蓋体の両側に一対の屈曲部を介して形成された一対の上蓋部とからなるように構成されている。
【００２３】
従って、本発明の結束バンドのカバー部材はロックヘッド本体に一体的に設けられ、かつ屈曲部を介して上蓋部を下蓋体に簡単に折り重ねて閉止し、重ね合わせた上蓋部と下蓋体の間にバンド体の切断部を容易にカバーすることができるので、ペンチ等によるバンド体の切断部の曲げ加工の必要がなく、また別途に合成樹脂製保護キャップのような付加的部材を用いることなく、汎用工具で容易かつ迅速にバンド体の切断部に対する事故防止対策が講じることができ、これによって結束バンドによる結束対象物の結束作業の効率を大幅に向上できる。
【図面の簡単な説明】
【図１】本発明の結束バンドのロックヘッドを示す斜視図である。
【図２】（Ａ）ロックヘッドの平面図である。
（Ｂ）ロックヘッドの正面図である。
【図３】（Ａ）ロックヘッドにバンド体の先端を挿通した状態の結束バンドを示す斜視説明図である。
（Ｂ）ロックヘッドのカバー部材でバンド体の切断部をカバーした状態の結束バンドを示す斜視説明図である。
【図４】（Ａ）他例のロックヘッドの平面図である。
（Ｂ）他例のロックヘッドの正面図である。
【図５】（Ａ）従来の結束バンドで管状物を巻き付けた状態を示す説明図である。
（Ｂ）従来の結束バンドでケーブル等を結束した状態を示す説明図である。
【図６】従来の結束バンドの平面図である。
【図７】従来の結束バンドのロックヘッドの断面図（図６のＡ−Ａ線矢視図）である。
【図８】（Ａ）保護キャップの説明図である。
（Ｂ）保護キャップをバンド体の切断部に挿入する状態を示す説明図である。
【符号の説明】
１  結束バンド      ２  バンド体      ３  ロックヘッド      ４  管状物
５  ケーブル      ６  保護キャップ      ７  カバー部材      ８  下蓋部
９  上蓋部      １０  屈曲部
【図１】
0003926022.tif 000002
【図２】
0003926022.tif 000003
【図３】
0003926022.tif 000004
【図４】
0003926022.tif 000005
【図５】
0003926022.tif 000006
【図６】
0003926022.tif 000007
【図７】
0003926022.tif 000008
【図８】
0003926022.tif 000009